(57)【要約】      （修正有）【課題】車両事故時情報の読み出しを高いセキュリテイレベルにすることができ、車両事故時情報の不正な読み出しを防止する。【解決手段】車両の事故前後における車両の挙動及び運転者の操作といった車両事故時情報を記録する記憶手段を備える車載記録装置２において、認証コードを登録する登録手段と、車両の駆動源の駆動許可あるいは車両のドアの施解錠許可に用いられるリモコンキー８が有する認証コードと前記登録手段により登録された認証コードとを照合する照合手段と、車両外部から車両事故時情報の読み出し要求があった時、前記照合手段による照合の結果、２つの認証コードが一致するとされた場合に、前記記憶手段により記録された車両事故時情報を読み出す情報読み出し手段と、を備える。【選択図】図１
2015090519.tif 000002
【特許請求の範囲】
【請求項１】
車両の事故前後における車両の挙動及び運転者の操作といった車両事故時情報を記録する記憶手段を備える車載記録装置において、認証コードを登録する登録手段と、車両の駆動源の駆動許可あるいは車両のドアの施錠解錠許可に用いられるリモコンキーが有する認証コードと前記登録手段により登録された認証コードとを照合する照合手段と、車両外部から車両事故時情報の読み出し要求があった時、前記照合手段による照合の結果、２つの認証コードが一致するとされた場合に、前記記憶手段により記録された車両事故時情報を読み出す情報読み出し手段と、を備えることを特徴とする車載記録装置。
【発明の詳細な説明】
【技術分野】
【０００１】
この発明は車載記録装置に係り、特に、記憶手段に記録された車両事故時情報の不正な読み出しを防止した車載記録装置に関する。
【背景技術】
【０００２】
車両においては、事故時における車両の挙動や運転者の操作といった情報を記録する記憶手段を備えた車載記録装置が提案されている。車載記録装置に記録された車両事故時情報は、事故調査と車載装置の性能分析に活用することが可能であるが、同時に運転者の個人情報でもある。このため、車載記録装置に記録された情報の読み出しには、高いセキュリティレベルが必要である。
【０００３】
特開平９−１２３８７６号公報に記載された乗用車の挙動及び運転動作の記録装置は、車両の所有者または運転者固有の第一の暗証コードと公的機関にのみ保管される非公開の第二の暗証コードとの入力によってのみ、事故記録を読み出すことのできるものである。
また、特開２０１１−２３８１３４号公報に記載された車両情報読み出し装置は、第１のキー情報と第２のキー情報とが一致した際に、車両事故時情報の読み出しを許可するものである。
【先行技術文献】
【特許文献】
【０００４】
【特許文献１】特開平９−１２３８７６号公報
【特許文献２】特開２０１１−２３８１３４号公報
【発明の概要】
【発明が解決しようとする課題】
【０００５】
しかしながら、このような乗用車の挙動及び運転動作の記録装置や車両情報読み出し装置は、暗証コードやキー情報が流出した場合、車両事故時情報が不正に読み出せてしまうことになる。
【０００６】
この発明は、車両事故時情報の読み出しを高いセキュリテイレベルにすることができ、車両事故時情報の不正な読み出しを防止することを目的とする。
【課題を解決するための手段】
【０００７】
この発明は、車両の事故前後における車両の挙動及び運転者の操作といった車両事故時情報を記録する記憶手段を備える車載記録装置において、認証コードを登録する登録手段と、車両の駆動源の駆動許可あるいは車両のドアの施解錠許可に用いられるリモコンキーが有する認証コードと前記登録手段により登録された認証コードとを照合する照合手段と、車両外部から車両事故時情報の読み出し要求があった時、前記照合手段による照合の結果、２つの認証コードが一致するとされた場合に、前記記憶手段により記録された車両事故時情報を読み出す情報読み出し手段と、を備えることを特徴とする。
【発明の効果】
【０００８】
この発明は、車両外部から車両事故時情報の読み出し要求があった時、リモコンキーが有する認証コードと登録手段に登録された認証コードとが一致する場合に、車両事故時情報を読み出すため、車両事故時情報の読み出しを高いセキュリテイレベルにすることができる。
【図面の簡単な説明】
【０００９】
【図１】図１は車載記録装置のシステム構成図である。（実施例）
【図２】図２は認証コード登録のフローチャートである。（実施例）
【図３】図３は車両事故時情報の読み出し要求のフローチャートである。（実施例）
【発明を実施するための形態】
【００１０】
以下、図面に基づいて、この発明の実施例を説明する。
【実施例】
【００１１】
図１〜図３は、この発明の実施例を示すものである。図１において、車両１に搭載された車載記録装置２は、車両１の事故前後における車両１の挙動及び運転者の操作といった車両事故時情報を記録する記憶手段３を備えている。車載記録装置２は、車両外部から読み出しツール４によって車両事故時情報の読み出し要求があった時に、読み出し要求が適正なものであるかを認証コードで判断し、記憶手段３に記録された車両事故時情報を読み出しツール４に送信する。
この車載記録装置２は、登録手段５と、照合手段６と、情報読み出し手段７と、を備えている。
前記登録手段５は、認証コードを登録する。認証コードは、車両１のリモコンキー８が有する認証コードである。このリモコンキー８は、車体制御装置９とアンテナ１０を介して通信し、車両１の駆動源（例えば、エンジン、あるいはモータなど）の駆動許可、あるいは車両１のドアの施錠解錠許可に用いられる。
車体制御装置９には、予め、リモコンキー８が有する特定の認証コードを登録する。車体制御装置９は、リモコンキー８から車両１の駆動源の駆動許可、あるいは車両１のドアの施錠解錠許可の要求を受信すると、登録された認証コードにより正規の要求であるか否かを判定し、車両１の駆動源の駆動許可、あるいは車両１のドアの施錠解錠許可を行う。
車体制御装置９は、車載記録装置２と接続されている。車体制御装置９は、リモコンキー８が有する認証コードを登録する際に、この認証コードを車載記録装置２に送信する。車載記録装置２は、受信したリモコンキー８の認証コードを登録手段５に登録する。
前記照合手段６は、車両１の駆動源の駆動許可あるいは車両１のドアの施錠解錠許可に用いられるリモコンキー８が有する認証コードと、登録手段５により登録された認証コードとを照合する。この照合手段６は、読み出しツール４によって車両外部から車両事故時情報の読み出し要求があった時、車両周囲に存在するリモコンキー８が有する認証コードと登録手段５により登録された認証コードとを照合する。車両周囲に存在するリモコンキー８が送信する認証コードは、車体制御装置９がアンテナ１０により受信し、車載記憶装置２に送信される。
前記情報読み出し手段７は、読み出しツール４によって車両外部から車両事故時情報の読み出し要求があった時、前記照合手段６による車両周囲に存在するリモコンキー８が有する認証コードと登録手段５により登録された認証コードとの照合の結果、リモコンキー８が有する認証コードと登録手段５に登録された認証コードとの２つの認証コードが一致するとされた場合に、記憶手段３により記録された車両事故時情報を読み出し、読み出しツール４に送信する。
【００１２】
次に作用を説明する。
車載記録装置２は、図２に示すように、リモコンキー８が有する認証コードを登録する。車載記録装置２は、認証コードの登録のプログラムがスタートすると（１００）、車体制御装置９にリモコンキー８が有する認証コードの登録が実施されたかを判断する（１０１）。
この判断（１０１）がＮＯの場合は、この判断（１０１）をくり返す。この判断（１０１）がＹＥＳの場合は、車体制御装置９に登録する認証コードを車載記録装置２に送信し（１０２）、リモコンキー８の認証コードを登録手段５に登録し（１０３）、プログラムをエンドにする（１０４）。
【００１３】
リモコンキー８の認証コードを登録した車載記録装置２は、図３に示すように、車両事故時情報の読み出しの処理を行う。車載記録装置２は、車両事故時情報の読み出し要求のプログラムがスタートすると（２００）、車両外部から読み出しツール４による車両事故時情報の読み出し要求の信号を受信したかを判断する（２０１）。
この判断（２０１）がＮＯの場合は、この判断（２０１）をくり返す。この判断（２０１）がＹＥＳの場合は、車両周囲に存在するリモコンキー８が有する認証コードと登録手段５により登録された認証コードとを照合し、２つが一致するかを判断する（２０２）。
この判断（２０２）がＹＥＳの場合は、記憶手段３により記録された車両事故時情報を読み出して読み出しツール４に送信し（２０３）、プログラムをエンドにする（２０４）。この判断（２０２）がＮＯの場合は、読み出しツール４に読み出し要求の否定応答を送信し（２０５）、プログラムをエンドにする（２０４）。
【００１４】
このように、車載記録装置２は、読み出しツール４によって車両外部から車両事故時情報の読み出し要求があった時、照合手段６による車両周囲に存在するリモコンキー８が有する認証コードと登録手段５により登録された認証コードとの照合の結果、この２つの認証コードが一致するとされた場合に、記憶手段３により記憶された車両事故時情報を読み出して読み出しツール４に送信する。
これにより、車載記録装置２は、車両１の所有者、あるいは車両１の所有者からリモコンキー８を託された委託者のみに、車両事故時情報の読み出しを可能としているため、車両事故時情報の読み出しを高いセキュリテイレベルにすることができる。
なお、上述実施例においては、車両周囲に存在するリモコンキー８が送信する認証コードを車体制御装置９のアンテナ１０により受信し、車載記憶装置２に送信したが、図１に破線で示すように、車載記録装置２にアンテナ１１を設け、このアンテナ１１によりリモコンキー８が送信する認証コードを受信して、照合手段６により照合することもできる。
【産業上の利用可能性】
【００１５】
この発明は、車両事故時情報の読み出しを高いセキュリテイレベルにすることができ、車両事故時情報の不正な読み出しを防止することができるものであり、商用車、自家用車にかぎらず、各種の車両に適用することができる。
【符号の説明】
【００１６】
１  車両
２  車載記録装置
３  記憶手段
４  読み出しツール
５  登録手段
６  照合手段
７  情報読み出し手段
８  リモコンキー
９  車体制御装置
１０  アンテナ
【図１】
2015090519.tif 000003
【図２】
2015090519.tif 000004
【図３】
2015090519.tif 000005